(57)【要約】【課題】  簡単な操作で直感的に色味の調整を行うことができるマルチディスプレイシステムを提供する。【解決手段】  本発明のマルチディスプレイシステムＳは、第２ディスプレイ２に表示される画像の色味を調整するために、第２ディスプレイ２ではなく第１ディスプレイ１に色見本画像を表示させて、ユーザに所望の色味に補正するための指定色を入力させる。第１ディスプレイ１を操作して指定色を入力することで、第２ディスプレイ２には補正後の画像が表示されるので、ユーザはその画像を見ながら指定色を入力することができ、簡単な操作で直感的に色味の調整を行うことができる。【選択図】      図１
2015152734.tif 000002
【特許請求の範囲】
【請求項１】
互いに通信可能に接続される第１表示装置と第２表示装置とを含むマルチディスプレイシステムであって、
第１表示装置は、
画像を表示する表示画面を備える第１表示部と、
複数種類の色が予め定める規則に従って各画素に割り当てられて成る色見本画像が前記表示画面に表示されるときの、前記表示画面内の座標位置と前記色見本画像の各画素との予め定める対応関係を記憶する記憶部と、
前記表示画面内の座標位置を指定する位置指定部と、
前記色見本画像を前記表示部の表示画面に表示させた状態で、前記位置指定部によって座標位置が指定されると、前記記憶部に記憶された前記対応関係に基づいて、指定された座標位置に対応する画素に割り当てられた色を決定する色決定部と、
前記色決定部によって決定された色を指定色とする指定色情報を第２表示装置に送信する送信部と、を有し、
第２表示装置は、
画像を表示する表示画面を備える第２表示部と、
前記第２表示部の表示画面に表示する画像の色味を補正する補正部と、
第１表示装置から送信される指定色情報を受信する受信部と、
前記受信部が指定色情報を受信すると、受信した指定色情報の指定色に基づいて、前記補正部に、前記第２表示部の表示画面に表示する画像の色味を補正させ、色味が補正された画像を前記第２表示部の表示画面に表示させる表示制御部と、を有するマルチディスプレイシステム。
【請求項２】
前記色見本画像は、隣接する画素間における色の変化が一定で、画像の一端から他端まで漸次的に色が変化するグラデーション画像であることを特徴とする請求項１記載のマルチディスプレイシステム。
【請求項３】
第１表示装置と第２表示装置以外にさらに複数の表示装置を含み、
第１表示装置と第２表示装置とを含む全ての表示装置は、マトリクス状に配置され、
第１表示装置は、第２表示装置に隣接する位置以外の位置に配置されることを特徴とする請求項１または２記載のマルチディスプレイシステム。
【請求項４】
前記補正部による色味の補正は、色温度、ガンマ値および各色成分の階調値の少なくともいずれか１つを変更することを特徴とする請求項１〜３のいずれか１つに記載のマルチディスプレイシステム。
【発明の詳細な説明】
【技術分野】
【０００１】
本発明は、複数の表示装置が接続されたマルチディスプレイシステムに関する。
【背景技術】
【０００２】
マルチディスプレイシステムは、複数の表示装置を一列状、マトリクス状などに配置し、１つの画像を分割して表示したり、それぞれの表示装置に表示される画像を連動させたりすることで様々な表示態様に適用可能とする表示システムである。
【０００３】
複数の表示装置を接続する接続方式には、中心となる装置に他の装置が接続し、中心となる装置が他の装置を一括で制御するいわゆるスター接続方式、複数の装置が直列接続し、最上流の装置から下流の装置へと順次制御コマンドを出力するいわゆるデイジーチェーン接続方式などがある。
【０００４】
マルチディスプレイシステムにおいては、各表示装置でそれぞれ表示される画像の色味の調整が重要である。表示装置は、全てが同じ仕様であっても、経年劣化や使用履歴、製造上の微小なばらつきなどによって表示される画像の色味が全く同一のものとはならない場合がある。表示装置ごとに表示される画像の色味がばらつくと、マルチディスプレイシステム全体としての表示品質が劣化することになる。
【０００５】
ユーザは、各表示装置の画像の色味を目視で確認し、同様の色味となるように表示装置それぞれの色味の調整を行い、マルチディスプレイシステムとしての表示品質を維持しようとする。特許文献１記載の色合わせ装置では、複数台のモニタの中から正しい色特性を持つモニタを基準モニタとして、正しい色特性を持たないモニタに表示させた画像データの色と、基準モニタに表示させた画像データの色とを人の目で比較させることにより、正しい色特性を持たないモニタの色を基準モニタの色に合わせる機能を有している。
【先行技術文献】
【特許文献】
【０００６】
【特許文献１】特開２００６−８０９４８号公報
【発明の概要】
【発明が解決しようとする課題】
【０００７】
色味調整の対象となる表示装置に対してユーザは、設定画面から色温度を入力したり、ガンマ値を入力したり、ＲＧＢの各色の階調値を変更するなどの操作を行う必要がある。数値などの入力をしたのち、画像データを表示させて目視し、目的の色味に調整できたかどうかを確認し、調整できていなければ再度設定画面を開いて数値などを入力し直す。
【０００８】
このような作業を繰り返すことで、各表示装置の色味を調整することは可能であるが、実際の作業としては、設定画面を開いて数値を変更している間は、当該表示装置の色味の変化を確認することができないので、数値を変更したのち、画像データを表示させて変更後の色味を確認し、目的の色味でなければ、設定画面を再度開いて数値を変更し、そののち画像データを表示させて色味を確認するため、調整作業は非常に繁雑である。
【０００９】
そして、各数値をどの程度変更すればどのような色味となるかは、実際に変更してみないとわからないので、調整には多大な試行錯誤が必要で、上記のような調整作業を何度も繰り返さなければならない。
【００１０】
本発明の目的は、簡単な操作で直感的に色味の調整を行うことができるマルチディスプレイシステムを提供することである。
【課題を解決するための手段】
【００１１】
本発明は、互いに通信可能に接続される第１表示装置と第２表示装置とを含むマルチディスプレイシステムであって、
第１表示装置は、
画像を表示する表示画面を備える第１表示部と、
複数種類の色が予め定める規則に従って各画素に割り当てられて成る色見本画像が前記表示画面に表示されるときの、前記表示画面内の座標位置と前記色見本画像の各画素との予め定める対応関係を記憶する記憶部と、
前記表示画面内の座標位置を指定する位置指定部と、
前記色見本画像を前記表示部の表示画面に表示させた状態で、前記位置指定部によって座標位置が指定されると、前記記憶部に記憶された前記対応関係に基づいて、指定された座標位置に対応する画素に割り当てられた色を決定する色決定部と、
前記色決定部によって決定された色を指定色とする指定色情報を第２表示装置に送信する送信部と、を有し、
第２表示装置は、
画像を表示する表示画面を備える第２表示部と、
前記第２表示部の表示画面に表示する画像の色味を補正する補正部と、
第１表示装置から送信される指定色情報を受信する受信部と、
前記受信部が指定色情報を受信すると、受信した指定色情報の指定色に基づいて、前記補正部に、前記第２表示部の表示画面に表示する画像の色味を補正させ、色味が補正された画像を前記第２表示部の表示画面に表示させる表示制御部と、を有するマルチディスプレイシステムである。
【００１２】
また本発明は、前記色見本画像は、隣接する画素間における色の変化が一定で、画像の一端から他端まで漸次的に色が変化するグラデーション画像であることを特徴とする。
【００１３】
また本発明は、第１表示装置と第２表示装置以外にさらに複数の表示装置を含み、
第１表示装置と第２表示装置とを含む全ての表示装置は、マトリクス状に配置され、
第１表示装置は、第２表示装置に隣接する位置以外の位置に配置されることを特徴とする。
【００１４】
また本発明は、前記補正部による色味の補正は、色温度、ガンマ値および各色成分の階調値の少なくともいずれか１つを変更することを特徴とする。
【発明の効果】
【００１５】
本発明によれば、第１表示装置では、色見本画像を表示部の表示画面に表示させた状態で、位置指定部によって座標位置が指定されると、記憶部に記憶された対応関係に基づいて、指定された座標位置に対応する画素に割り当てられた色を決定し、決定された色を指定色とする指定色情報を第２表示装置に送信する。第２表示装置では、受信部が指定色情報を受信すると、受信した指定色情報の指定色に基づいて、補正部が、第２表示部の表示画面に表示する画像の色味を補正し、色味が補正された画像を第２表示部の表示画面に表示する。
【００１６】
第２表示装置に表示される画像の色味を調整するために、第２表示装置ではなく第１表示装置に色見本画像を表示させて、ユーザに所望の色味に補正するための指定色を入力させる。第１表示装置を操作して指定色を入力することで、第２表示装置には補正後の画像が表示されるので、ユーザはその画像を見ながら指定色を入力することができ、簡単な操作で直感的に色味の調整を行うことができる。
【００１７】
また本発明によれば、色見本画像としてグラデーション画像を用いることで、なるべく多くの種類の色から指定色を選ぶことができ、微調整が可能となる。
【００１８】
また本発明によれば、第１表示装置と第２表示装置とを含む全ての表示装置は、マトリクス状に配置され、第１表示装置は、第２表示装置に隣接する位置以外の位置に配置される。
【００１９】
第１表示装置と第２表示装置とをこのような位置関係とすることで、たとえば、第２表示装置に隣接する他の表示装置にも補正後の色味を確認するために表示する画像を表示させるようにすれことができる。ユーザは、第２表示装置に表示された補正後の画像と他の表示装置に表示された画像とを見比べながら、第１表示装置を操作して色味の調整を行うことができる。
【００２０】
また本発明によれば、色温度、ガンマ値および各色成分の階調値の少なくともいずれか１つを変更することで補正部が色味の補正を行うことができる。
【図面の簡単な説明】
【００２１】
【図１】本発明の実施形態であるマルチディスプレイシステムＳの構成を示すブロック図である。
【図２】マルチディスプレイシステムＳによる色味調整処理を示すフローチャートである。
【図３】配置パターンが３×３パターンのマルチディスプレイシステムＳの外観を示す模式図である。
【発明を実施するための形態】
【００２２】
（実施形態１）
マルチディスプレイシステムは、複数の同一仕様のディスプレイを、予め定める配置パターン、たとえば２×２パターン（縦２台および横２台の計４台）、３×３パターン（縦３台および横３台の計９台）、１×３パターン（縦１台および横３台の計３台）、２×４パターン（縦２台および横４台の計８台）などのマトリクス状の配置パターンに配置するものである。２×２パターンであれば、４台のディスプレイの配置位置は、左上、右上、左下および右下となる。３×３パターンであれば、９台のディスプレイの配置位置は、左上、中央上、右上、中央左、中央、中央右、左下、中央下および右下となる。
【００２３】
配置パターンは、各ディスプレイの表示面が同一平面に含まれるように、表示方向を揃えて配置するパターンである。詳細には、各ディスプレイの表示面が矩形状であり、表示面の少なくとも１つの辺部が他の表示面の辺部と対向するように、各ディスプレイを配置パターンの各配置位置に配置する。
【００２４】
図１は、本発明の実施形態であるマルチディスプレイシステムＳの構成を示すブロック図である。本実施形態では、マルチディスプレイシステムＳは、第１ディスプレイ１および第２ディスプレイ２を有し、第１ディスプレイ１と第２ディスプレイ２とが通信可能に接続されている。
【００２５】
本発明のマルチディスプレイシステムＳは、各ディスプレイの色味を調整するための操作において、調整対象のディスプレイとは異なるディスプレイに色見本画像を表示させ、操作させることを特徴としている。第１ディスプレイ１と第２ディスプレイ２とは、同一仕様であるので、構成は同じであるが、以下の説明では、ユーザが色味調整の操作を行うディスプレイを第１ディスプレイ１とし、調整対象のディスプレイを第２ディスプレイ２とする。第１ディスプレイ１を調整対象とする場合には、第２ディスプレイ２を操作するようにすることもできる。
【００２６】
第１ディスプレイ１は、表示部１１、通信部１２、操作部１３、制御部１４および記憶部１５を含んで構成される第１表示装置である。表示部１１は、液晶表示パネルなどによって実現され、外形が矩形状の表示面を有し、制御部１４から入力される画像データに基づいて、画像を表示する。ユーザが操作する第１ディスプレイ１の表示部１１は、色味調整のときに目的となる色をユーザが指定するための色見本画像を表示する。
【００２７】
ここで、色見本画像は、複数種類の色が予め定める規則に従って各画素に割り当てられて成る画像で、ユーザは、表示部１１に表示された色見本画像を見ながら第２ディスプレイ２の色味を調整する際に目的となる色を、表示された複数種類の色の中から指定色として指定することができる。
【００２８】
色見本画像としては、一定領域の画素を１つの種類の色で塗り潰し、領域ごとに色を異ならせて、複数種類の色のパッチを並べたカラーパッチ画像や、隣接する画素間における色の変化が一定で、画像の一端から他端まで漸次的に色が変化するグラデーション画像を用いることができる。なるべく多くの種類の色から指定色を選ぶことができ、微調整が可能なようにグラデーション画像を用いるのが好ましい。
【００２９】
通信部１２は、第２ディスプレイ２とデータ通信するためのインターフェイスである。第１ディスプレイ１と第２ディスプレイ２とは、画像データや指令コマンドなどマルチディスプレイシステムＳとして機能するための各種情報を、通信部１２を介して送受信する。また、通信部１２を介して第１ディスプレイ１から第２ディスプレイ２へ指定色を表す指定色情報が送信される。
【００３０】
第２ディスプレイ２との通信は、特に限定されず、有線通信でも無線通信でも可能であり、データ通信は、ＲＳ−２３２Ｃ、ＵＳＢ（Universal Serial Bus）、ＤＤＣ／ＣＩ（Display Data Channel Command Interface）、ＨＤＭＩ（登録商標）−ＣＥＣ（High Definition Multimedia Interface Consumer Electronics Control）など各種の方式が利用できる。
【００３１】
操作部１３は、タッチパネル、マウス、リモートコントローラ、装置本体に設けられた各種キーなどであり、ユーザが操作することで、第１ディスプレイ１に各種指示などを入力することができる。
【００３２】
操作部１３は、表示部１１に表示された色見本画像の中でユーザが調整の目的の色とした色を直接的に指定可能とする。具体的には、表示された色見本画像上にカーソルを表示させ、ユーザが操作部１３を操作することでカーソルを移動させる。ユーザがカーソルを所望の色が表示されている場所に移動させたのち、確定操作を行うと、そのときのカーソル位置が座標位置として入力され、入力された位置に表示されている色を指定色とすることができる。確定操作は、たとえばマウスであればマウスを動かし、カーソルを合わせてクリックする、タッチパネルであれば、タッチパネル上で指をスライドさせてカーソルを合わせタップまたは長押しするなど特定の操作である。
【００３３】
色見本画像の各画素と、色見本画像を表示する表示面の座標位置との対応関係を予め記憶部１５にテーブルとして記憶しておけば、制御部１４は、ユーザが確定したカーソル位置の座標に基づいて対応する色を即座に決定することができる。
【００３４】
制御部１４は、記憶部１５に記憶された各種の制御プログラムに基づいて第１ディスプレイ１の動作を制御する。制御部１４は、決定した色をユーザの指定色として、これを表す指定色情報を生成し、通信部１２を介して第２ディスプレイ２へと送信する。
【００３５】
色見本画像の表示や指定色情報の生成など第２ディスプレイ２の表示画像の色味を調整するための処理は、たとえば、第１ディスプレイ１の設定モードにおいて、他ディスプレイの色味調整の項目を予め設けておき、ユーザが他ディスプレイの色味調整を選択すると、第１ディスプレイ１が色味調整を開始することを第２ディスプレイ２に通知するとともに、色見本画像を表示部１１に表示させ、色見本画像上にカーソルを表示させ、色の指定が可能な状態で待機する。
【００３６】
第２ディスプレイ２は、表示部２１、通信部２２、操作部２３、制御部２４および記憶部２５を含んで構成される第２表示装置である。表示部２１、通信部２２、操作部２３、制御部２４および記憶部２５は、それぞれ表示部１１、通信部１２、操作部１３、制御部１４および記憶部１５と同様の機能を有する。以下では、第２ディスプレイ２が調整対象である場合の動作について説明する。
【００３７】
予め第１ディスプレイ１から、色味調整を開始することが通知されたときに第２ディスプレイ２は、色味調整を開始し、第１ディスプレイ１から指定色情報が送信されるまで待機する。第１ディスプレイ１から指定色情報が送信されると、通信部２２が指定色情報を受信する。第１ディスプレイ１から第２ディスプレイ２へ送信される色の情報は、たとえば、「ガンマ値」、「コントラスト」、「黒レベル」、「色温度」などの各種情報の１または複数含んでいてもよい。通信部２２が指定色情報を受信すると制御部２４は、指定色情報の指定色に基づいて、表示部２１に表示される画像の色味が指定色の色味となるように画像データを補正する。画像データの補正は、第１ディスプレイ１から送信された色の情報に基づいて実行される。補正が終わると、補正後の画像データに基づく画像を表示部２１に表示する。
【００３８】
色味を補正する対象の画像データは、補正後の画像を表示部２１に表示させてユーザが確認するために、色味の違いがわかり易い確認用の画像データを予め準備しておいてもよいし、実際にマルチディスプレイシステムＳで表示させようとしている画像データであってもよい。
【００３９】
ユーザは、表示部２１に表示された補正後の画像を見て所望の色味で表示されているかどうかを確認する。所望の色味であれば、第１ディスプレイ１の操作部１３を操作し、指定色を最終決定する。最終決定のときの操作は、指定色を確定するときの操作とは異なる操作である。また、所望の色味でなければ、ユーザは第１ディスプレイ１の操作部１３を操作し、カーソルを移動させて他の色を指定色とする。第１ディスプレイ１から新たな指定色情報が送信され、第２ディスプレイ２では、これを受信して画像データを補正し、補正後の画像を表示部２１に表示する。ユーザは、所望の色味となるまでこのような操作を繰り返し、最終決定をする。
【００４０】
ユーザが第１ディスプレイ１の操作部１３を操作することによって最終決定の操作がなされると、最終決定されたことを示す決定情報が第１ディスプレイ１から第２ディスプレイ２へと送信される。決定情報を受信した第２ディスプレイ２は、最後に受信した指定色情報の指定色を記憶部２５に記憶し、色味調整を終了する。マルチディスプレイシステムＳとして画像を表示する際には、記憶部２５に記憶されている指定色に基づいて画像データを補正し、補正後の画像データに基づく画像を表示部２１に表示する。
【００４１】
再度の色味調整が行われ、第１ディスプレイ１の操作により指定色が変更されると、記憶部２５に記憶されている指定色が更新され、第２ディスプレイ２は、更新された指定色で画像データの補正を行う。
【００４２】
図２は、マルチディスプレイシステムＳによる色味調整処理を示すフローチャートである。本フローチャートは、ユーザが第１ディスプレイ１を操作して他ディスプレイの色味調整を選択し、第１ディスプレイ１が色味調整を開始することを第２ディスプレイ２に通知することで開始される。
【００４３】
ステップＳ１では、第１ディスプレイ１において、表示部１１が色見本画像を表示する。また表示された色見本画像から１つの色をユーザが指定できるように色見本画像上にカーソルを表示させる。ステップＳ２では、ユーザが第１ディスプレイ１の操作部１３を操作することによりカーソルを移動させ、ユーザが所望する座標位置で確定操作をすると、その座標位置が入力される。ステップＳ３では、第１ディスプレイ１において、制御部１４が記憶部１５に予め記憶されている座標位置と色見本画像の各画素に割り当てられた色との対応関係を示すテーブルに基づき、入力された座標位置に対応する色を読み出す。
【００４４】
ステップＳ４では、第１ディスプレイ１において、制御部１４が、読み出された色を指定色として指定色情報を生成し、通信部１２が第２ディスプレイ２へ指定色情報を送信する。ステップＳ５では、第２ディスプレイ２において、通信部２２が第１ディスプレイ１から送信された指定色情報を受信する。
【００４５】
ステップＳ６では、第２ディスプレイ２において、受信した指定色情報の指定色に基づいて制御部２４が画像データの色味を補正する。ステップＳ７では、第２ディスプレイ２において、表示部２１が色味補正後の画像データに基づく画像を表示する。
【００４６】
ステップＳ７では、第１ディスプレイ１から第２ディスプレイ２に対して指定色が最終決定されたことを示す決定情報が送信されたかどうかを判断する。ユーザは、第２ディスプレイ２の表示部２１に表示された補正後の画像を見て所望の色味に調整されたかどうかを確認することができ、ユーザが所望の色味に調整できたと思えば第１ディスプレイ１の操作部１３で最終決定の操作を行う。最終決定の操作により第１ディスプレイ１では、最終決定であることを示す決定情報が生成され第２ディスプレイ２へ送信される。第２ディスプレイ２では、決定情報を受信すると、最後に受信した指定色情報の指定色を記憶部２５に記憶し、色味調整処理を終了する。ユーザが未だ所望の色味に調整できていないと思えば、最終決定操作を行わず、ステップＳ２に戻って、他の色を指定するために操作部１３を操作してカーソルを移動させ、他の色が表示されている座標位置を入力する。
【００４７】
以上のように、本発明のマルチディスプレイシステムＳは、第２ディスプレイ２に表示される画像の色味を調整するために、第２ディスプレイ２ではなく第１ディスプレイ１に色見本画像を表示させて、ユーザに所望の色味に補正するための指定色を入力させる。第１ディスプレイ１を操作して指定色を入力することで、第２ディスプレイ２には補正後の画像が表示されるので、ユーザはその画像を見ながら指定色を入力することができ、簡単な操作で直感的に色味の調整を行うことができる。
【００４８】
（実施形態２）
上記の実施形態では、マルチディスプレイシステムに含まれる任意の２台のディスプレイに着目し、その動作を説明したが、実施形態２として、マルチディスプレイシステムの配置パターンによっては、調整対象の第２ディスプレイの配置位置に基づいて、色見本画像を表示してユーザが操作する第１ディスプレイを特定の配置位置に配置されたディスプレイとすることが好ましい場合がある。
【００４９】
マルチディスプレイシステムにおいて、色味を調整する主な目的は、マルチディスプレイシステムに含まれる各ディスプレイの色味を統一させてシステム全体として表示する画像の違和感をなくして表示品質を向上させることである。したがって、調整対象のディスプレイと、調整対象のディスプレイを取り囲むディスプレイ、特に調整対象のディスプレイに対して上下左右に隣接するディスプレイとの色味が合うように調整することが好ましい。
【００５０】
具体的には、色味調整をする場合に、調整対象のディスプレイにおいて補正後の色味を確認するために表示する画像を、調整対象以外のディスプレイにも表示させ、ユーザが、調整対象以外のディスプレイに表示された画像と調整対象のディスプレイに表示された画像を見比べながら、調整対象のディスプレイを取り囲むディスプレイとの色味が合うように調整する。
【００５１】
このような色味の調整を実現するには、調整対象のディスプレイを決めると、調整のための色見本画像を表示してユーザが実際に操作するディスプレイを、調整対象のディスプレイを取り囲むディスプレイ以外のディスプレイのいずれかとすればよい。調整対象のディスプレイを取り囲むディスプレイの１つに色見本画像を表示してしまうと、補正後の画像の色味を比較することができなくなるので、色見本画像を表示してユーザが操作するディスプレイは、調整対象のディスプレイを取り囲むディスプレイ以外のディスプレイとする必要がある。
【００５２】
図３は、配置パターンが３×３パターンのマルチディスプレイシステムＳの外観を示す模式図である。図３に示す３×３パターンのマルチディスプレイシステムＳは、縦３台および横３台の計９台のディスプレイから構成される。配置位置が左上のディスプレイをＤ１、中央上のディスプレイをＤ２、右上のディスプレイをＤ３、中央左のディスプレイをＤ４、中央のディスプレイをＤ５、中央右のディスプレイをＤ６、左下のディスプレイをＤ７、中央下のディスプレイをＤ８および右下のディスプレイをＤ９とする。マルチディスプレイシステムＳを構成するディスプレイＤ１〜Ｄ９は、互いに識別可能とするためにそれぞれのディスプレイにＩＤが割り当てられており、各ディスプレイは、他のディスプレイをＩＤによって認識する。
【００５３】
また、配置パターンについてもユーザが入力することにより各ディスプレイが認識することが可能で、さらに自装置が配置パターン中のどの配置位置にあるのか、自装置以外の他の装置がそれぞれ配置パターン中のどの配置位置にあるのかについても認識できる。
【００５４】
調整対象のディスプレイを左上のディスプレイＤ１とする場合について説明する。まず、ユーザの操作により調整対象のディスプレイが左上のディスプレイＤ１であることがマルチディスプレイシステムＳに入力される。次にディスプレイＤ１の色味を調整するために色見本画像を表示してユーザが指定色を入力するための操作を行う操作ディスプレイの候補を決定する。上記のように、色味を調整する場合には、ユーザが周りを取り囲むディスプレイに表示されている画像と調整対象のディスプレイに表示されている画像とを比較するために、操作ディスプレイとなるディスプレイの候補から調整対象のディスプレイを取り囲むディスプレイを除外し、残りのディスプレイを操作ディスプレイの候補とする。
【００５５】
図３に示す例では、調査対象のディスプレイが左上のディスプレイＤ１であるので、これを取り囲むディスプレイである中央上のディスプレイＤ２、左下のディスプレイＤ７および中央のディスプレイＤ５を候補から除外し、残りの右上のディスプレイＤ３、中央右のディスプレイＤ６、左下のディスプレイＤ７、中央下のディスプレイＤ８および右下のディスプレイＤ９を操作ディスプレイの候補とする。
【００５６】
操作ディスプレイの候補となるディスプレイ、すなわち色味調整のために操作可能なディスプレイがどのディスプレイであるかをユーザに知らせるために、たとえば候補のディスプレイＤ３，Ｄ６〜Ｄ９の各表示部にたとえば「このディスプレイを操作して色味を調整できます。」「このディスプレイは操作可能です。」などの文字を表示させる。ユーザはこれらのディスプレイの中からディスプレイＤ１の色味調整のために操作するディスプレイを選択する。上記のような表示が成された状態で、ユーザが１つのディスプレイの操作部に対して何らかの操作を加えると、そのディスプレイがユーザによって操作ディスプレイとして選択されたものとする。
【００５７】
操作ディスプレイとして右下のディスプレイＤ９が選択されたとすると、ディスプレイＤ９の表示部に色見本画像を表示させ、ディスプレイＤ９の操作部によって指定色を指定させることができる。
【００５８】
調整対象のディスプレイＤ１が決定されると、その調整対象のディスプレイＤ１を取り囲む周辺ディスプレイＤ２，Ｄ４，Ｄ５を除く残りのディスプレイＤ３，Ｄ６〜Ｄ９を操作ディスプレイの候補とする。この中からユーザが１つのディスプレイを選択すると選択されたディスプレイが色味調整のための操作を行う操作ディスプレイとなる。
【００５９】
調整対象のディスプレイと操作ディスプレイとが決定されると、調整対象のディスプレイが第２ディスプレイ２、操作ディスプレイが第１ディスプレイとして、上記の色味調整処理と同様に動作する。なお、調整処理中に調整対象のディスプレイＤ９に表示される画像を、周辺ディスプレイＤ２，Ｄ４，Ｄ５にも表示させておく。
【００６０】
色見本画像を表示させるための画像データおよび、調整処理中に調整対象ディスプレイに表示させる画像の画像データは、マルチディスプレイシステムＳに含まれる全てのディスプレイが予め記憶部に記憶していてもよく、いずれか１台に記憶され、必要に応じて記憶されている１台のディスプレイから取得するようにしてもよい。また、外部記憶装置に予め記憶させておき、必要に応じて外部記憶装置から画像データを読み出し、自装置の記憶部に記憶させるようにしてもよい。
【符号の説明】
【００６１】
１      第１ディスプレイ
２      第２ディスプレイ
１１，２１    表示部
１２，２２    通信部
１３，２３    操作部
１４，２４    制御部
１５，２５    記憶部
Ｓ      マルチディスプレイシステム
【図１】
2015152734.tif 000003
【図２】
2015152734.tif 000004
【図３】
2015152734.tif 000005